(57)【特許請求の範囲】
【請求項１】
少なくとも一つの側壁開口部を形成するように、搬送台の上に固定された複数の固定側板と、
前記側壁開口部を塞ぐように、前記固定側板の開口側端部に対して着脱自在に装着される移動側板と、
前記移動側板および固定側板で囲まれた搬送台の上表面に装着され、
前記移動側板の内側に立設した溝付きの側面緩衝材と、
前記移動側板と対向する固定側板の内側に立設した溝付きの側面緩衝材と、
前記搬送台の上面に設けた溝付きの底板緩衝材と、
前記固定側板および移動側板の上端部に対して着脱自在に装着される蓋板とを有し、
前記溝付きの緩衝材は、スチール製補強枠板が裏打ちされており、当該補強枠板の縁部は、前記緩衝材の裏面から側面に向けて折り曲げられて前記緩衝材を把持するようになっている
ことを特徴とする薄板搬送用コンテナ。
【請求項２】
前記固定側板および移動側板は、プラスチック製ダンボールにより構成されたものである請求項１に記載された薄板搬送用コンテナ。
【請求項３】
前記溝付きの緩衝材が、発泡ポリプロピレンから構成されたものである請求項１または２に記載された薄板搬送用コンテナ。
【請求項４】
（補正前の請求項５）
前記溝付きの緩衝材の溝は、熱可塑性樹脂製の枠により補強されたものである請求項１〜３のいずれかに記載された薄板搬送用コンテナ。
【請求項５】
（補正前の請求項６）
前記溝付きの緩衝材は、前記固定側板および移動側板の内側に貼着されている請求項１〜４のいずれかに記載された薄板搬送用コンテナ。
【請求項６】
（補正前の請求項７）
前記溝付きの緩衝材の溝は、搬送される薄板が、前記移動側板に対して垂直に立設して収納されるように、前記移動側板の内側に立設した側面緩衝材と、前記移動側板と対向する固定側板の内側に立設した側面緩衝材および前記搬送台の上面に立設した底板緩衝材とに設けられた請求項１〜５のいずれかに記載された薄板搬送用コンテナ。
【請求項７】
（補正前の請求項８）
前記固定側板は、少なくとも２枚のプラスチック製ダンボールを樹脂製枠により一体化したものである請求項１〜６のいずれかに記載された薄板搬送用コンテナ。
【発明の詳細な説明】
【０００１】
【発明の属する技術分野】
本発明は、コンテナに係り、さらに詳しくは、たとえば各種のフラットパネル、ディスプレー装置（プラズマ表示装置、液晶表示装置等）などの製造に用いる薄板状電子部品の搬送に用いる薄板搬送用コンテナに関する。
【０００２】
【従来の技術】
【発明が解決しようとする課題】
本発明の目的は、薄板状電子部品の収納および取り出し作業性に優れ
たコンテナを提供することにある。
【０００３】
【課題を解決するための手段】
本発明者は、溝付きの緩衝材を内面に貼着した側板を用いて軽量のコ
ンテナを試作したところ、薄板状電子部品の収納および取り出し作業性
が改善されることを見出した。
【０００４】
すなわち、本発明に係る薄板搬送用コンテナは、
少なくとも一つの側壁開口部を形成するように、搬送台の上に固定された複数の固定側板と、
前記側壁開口部を塞ぐように、前記固定側板の開口側端部に対して着
脱自在に装着される移動側板と、
前記移動側板および固定側板で囲まれた搬送台の上表面に装着され、
前記移動側板の内側に立設した溝付きの側面緩衝材と、
前記移動側板と対向する固定側板の内側に立設した溝付きの側面緩衝材と、
前記搬送台の上面に設けた溝付きの底板緩衝材と、
前記固定側板および移動側板の上端部に対して着脱自在に装着される蓋板とを有する。
【０００５】
好ましくは、前記固定側板および移動側板は、プラスチック製ダンボールにより構成されたものである。
好ましくは、前記溝付きの緩衝材が、発泡ポリプロピレンから構成されたものである。
好ましくは、前記溝付きの緩衝材は、スチール製補強枠板が裏打ちされている。
好ましくは、前記溝付きの緩衝材の溝は、熱可塑性樹脂製の枠により補強されたものである。
好ましくは、前記溝付きの緩衝材は、前記固定側板および移動側板の内側に貼着されている。
【０００６】
好ましくは、前記溝付きの緩衝材の溝は、搬送される薄板が、前記移動側板に対して垂直に立設して収納されるように、前記移動側板の内側に立設した側面緩衝材と、前記移動側板と対向する固定側板の内側に立設した側面緩衝材および前記搬送台の上面に立設した底板緩衝材とに設けられている。
好ましくは、前記固定側板は、少なくとも２枚のプラスチック製ダンボールを樹脂製枠により一体化したものである。
【０００７】
好ましくは、前記移動側板は、前記固定側板の開口側端部に対して、面状ファスナーにより着脱自在に取り付けられる。好ましくは、前記移動側板の両側には、フランジ片が一体に形成してあり、各フランジ片の内側に面状ファスナーが装着してある。
前記移動側板は、前記固定側板の開口側端部のいずれか一方に対して、回動自在に装着しても良い。
前記搬送台は、パレットであることが好ましい。この搬送台は、たとえば発泡プラスチック、プラスチック製ダンボール、木材、金属あるいはこれらの複合材料で構成しても良いが、軽量化の観点からは、発泡プラスチック、プラスチック製ダンボールあるいはこれらの複合材料で構成することが好ましい。
【０００８】
【作用】
本発明に係る薄板搬送用コンテナでは、コンテナの内部に収容されるべき薄板（薄板単独でも良いが、薄板を保護ケースに収容した薄板状部品でも良い）の収容作業および取り出し作業は、蓋板および移動側板を取り外した状態で、側壁開口部を通して行われる。すなわち、薄板は、コンテナの上部開口部まで持ち上げることなく、側壁開口部を通して水平方向に移動させるのみでよい。したがって、コンテナ内収容物の出し入れ作業性が著しく向上する。特に、大型のＰＤＰ（プラズマディスプレイパネル）用ガラスパネルは、割れやすく、高価であり、しかも重量が大きく、持ち上げることが困難である。本発明のコンテナは、このような複数のＰＤＰ用ガラスパネルを安全且つ効率的に搬送する用途に適している。
【０００９】
コンテナの内部に、ＰＤＰ用ガラスパネルなどの薄板を収容した状態では、各薄板の底部は、緩衝材の溝により仕切られ、また、各薄板の側部は、側面緩衝材の溝により仕切られる。したがって、コンテナに振動や衝撃が加わっても、各薄板は、コンテナの内部で相互に衝突することが無く、しかも緩衝材により振動や衝撃が吸収されるため、ＰＤＰ用ガラスパネルなどの薄板を有効に保護することができる。
【００１０】
前記固定側板および移動側板を、プラスチック製ダンボールにより構成することで、コンテナの軽量化が図れる。また、搬送台を発泡プラスチック、プラスチック製ダンボール、あるいはこれらの複合材料で構成することで、さらにコンテナの軽量化を図ることができる。
【００１１】
また、本発明では、溝付きの緩衝材を、発泡ポリプロピレンから構成することで、緩衝作用に優れると共に、十分な強度を有し、しかも、コンテナの軽量化にも寄与する。特に、溝付きの緩衝材を、スチール製補強枠板で裏打ちすることで、緩衝材の強度を向上させることができると共に、コンテナ全体の強度も向上させることができる。特に、搬送台の上面に設けた溝付きの底板緩衝材を、スチール製補強枠板で裏打ちすることで、コンテナの底部の強度が向上し、搬送台をフォークリフトで持ち上げる際に、コンテナの底部の変形を有効に防止することができる。
【００１２】
また、溝付きの緩衝材の溝を、熱可塑性樹脂製の枠により補強することで、溝の強度が向上し、薄板の端縁をしっかりと固定することができる。また、樹脂製なので、薄板に傷などを形成するおそれもない。
【００１３】
また、本発明において、固定側板を、少なくとも２枚のプラスチック製ダンボールを樹脂製枠により一体化したもので構成することで、次に示す作用を奏する。すなわち、段ボールを複数枚とすることで、側板の強度が向上すると共に、側板の側縁部において、複数枚の段ボールの内の少なくとも１枚を延長させ、他の固定側板に固着するためのフランジ片とすることができる。
【００１４】
また、本発明において、移動側板を、固定側板の開口側端部に対して、面状ファスナーにより着脱自在とすることで、移動側板の着脱が容易になる。
【００１５】
【発明の実施の形態】
以下、本発明を、図面に示す実施形態に基づき説明する。
【００１６】
図１は本発明の一実施形態に係る薄板搬送用コンテナの一部分解斜視図、図２は図１のII−II線に沿う要部断面図、図３は図１のIII−III線に沿う要部断面図である。
【００１７】
図１に示すように、本実施形態に係る薄板搬送用コンテナ２は、搬送台としてのパレット４を有する。パレット４には、フォークリフトの爪部が差し込まれるリフト用孔５が形成してある。パレット４は、本実施形態では、軽量化の観点から、発泡プラスチックとプラスチック製ダンボールとの組合せで構成してあるが、ステンレスなどの金属、木材など、プラスチック以外の材質で構成することも可能である。パレットの大きさは、通常、長さ８０〜１２０ｃｍ、巾４００〜１００ｃｍ、高さ１０〜２０ｃｍである。
【００１８】
パレット４の上には、一つの側壁開口部１０を形成するように、パレット４の上に３枚の固定側板６および８が立設してある。また、側壁開口部１０を塞ぐように、固定側板８，８の開口側端部に対して、移動側板１２が着脱自在に装着可能になっている。
【００１９】
図３に示すように、パレット４の上面には、プラスチック製ダンボールなどで構成してある支持枠７が、接着などの手段で固定してある。この支持枠７は、固定側板６および８をパレット４の上面に立設して固定するためのものである。
【００２０】
固定側板８および１０の内側で、パレット４の上面には、底板１４が設置される。底板１４は、たとえば合板で構成してある。底板１４の上面には、厚さ１．２ｍｍのステンレススチール製補強枠板２６で裏打ちされた底板緩衝材１６が設置される。
【００２１】
また、図１および図２に示すように、移動側板１２の内面と、固定側板のうち移動側板１２に対向する位置に位置する固定側板６の内面とに、側面緩衝材２０および１８が装着してある。底板緩衝材１６及び側面緩衝材２０、１８の厚さは、通常２〜５ｃｍである。これら側面緩衝材２０および１８は、底板緩衝材１６と同様に、厚さ１．２ｍｍのステンレススチール製補強枠板２６で裏打ちしてある。図２に示すように、補強枠板２６の縁部２６ａは、緩衝材の裏面から側面に向けて折り曲げられて、緩衝材を把持するようになっている。なお、側面緩衝材２０および１８は、それぞれの側板６および１２に対して、面状ファスナーにより着脱自在に固定可能に構成しても良く、あるいは、着脱不能に固着しても良い。
【００２２】
図２に示すように、固定側板６および８は、本実施形態では、厚さ５ｃｍの二枚のプラスチック製ダンボール６ａおよび６ｂ（または８ａおよび８ｂ）で構成してある。固定側板８の一方の側縁では、外側のプラスチック製ダンボール８ａのみが、内側のプラスチック製ダンボール８ｂに比較して延長してあり、フランジ片９が形成してある。そのフランジ片９は、接続すべき他の固定側板６の側縁部で折り返され、接着剤あるいはリベットなどで固定側板６の側縁部に固定される。また、図１に示すように、固定側板６および８相互の接続部上端には、Ｌ字形状の剛性樹脂枠３２が嵌合してあり、これらの側板６および８の接続を確実にしている。なお、固定側板８の他方の側縁では、二枚のプラスチック製ダンボール８ａおよび８ｂを樹脂製枠３０により一体化してある。
移動側板１２は、本実施形態では、１枚のプラスチック製ダンボールにより構成してあるが、同様に複数枚のプラスチック製ダンボールにより構成しても良い。移動側板１２の両側端には、フランジ片１３が形成してある。
【００２３】
図１〜図３に示すように、緩衝材１６、１８および２０の表面（コンテナ２の内面）には、通常、２０〜４０ｃｍの所定間隔で略平行に、巾５．５ｍｍ、深さ９ｍｍの薄板端部保持溝２２が形成してある。各薄板端部保持溝２２には、断面コ字形状の熱可塑性樹脂製の枠２４が装着してあり、溝２２を補強してある。各緩衝材１６、１８および２０に形成してある溝２２の溝幅、溝深さ、配置ピッチなどの寸法は、特に限定されないが、これらの各溝は、緩衝材１６、１８および２０相互において、それぞれ連続するように形成してある。
【００２４】
その結果、図２および図３に示すように、薄板としての各ＰＤＰ用ガラスパネル５０の下縁部および両側縁部は、各溝２２に保持されて、各ガラスパネル５０は、コンテナ２の内部で、相互に略平行に立設して保持される。各ガラスパネル５０のコンテナ２からの取り出しまたは収容は、図１に示すように、コンテナ２から移動側板１２を、緩衝材２０と共に取り外した状態で、コンテナの側壁開口部１０からガラスパネル５０を、底板緩衝材１６の溝２２に沿ってスライド移動させることにより容易に行うことができる。なお、コンテナ２からのガラスパネル５０の出し入れは、図１に示すように、コンテナ２の上部開口部から蓋板６０（図３参照）も取り外して行う。
【００２５】
図３に示す蓋板６０は、たとえば１枚のプラスチック製ダンボールで構成してあり、その内面に、緩衝材６２が貼着してある。この緩衝材６２には、むしろ溝が形成されていない方が好ましい。その場合には、コンテナ２に蓋板６０を取り付けた状態で、コンテナ２の内部に収容してあるガラスパネル５０の上端部を、緩く緩衝材６２の下面が押圧し、各ガラスパネル５０の振動を防止することができる。ただし、本発明では、この緩衝材にも、同様な溝２２を形成しても良い。
【００２６】
本実施形態では、これらの緩衝材１６、１８、２０および６２は、発泡ポリプロピレンで構成してある。各溝２２に埋め込まれる樹脂枠２４は、発泡ポリプロピレンよりも硬質の合成樹脂で構成される。各緩衝材１６、１８、２０および６２は、全体として、板形状であり、その板厚、横幅および縦幅などのサイズは、特に限定されない。
【００２７】
図１に示すように、コンテナ２の側壁開口部１０を構成する固定側板の開口側端部外面には、第１面状ファスナー４０が装着してある。これらの面状ファスナー４０の取り付け位置は、特に限定されないが、移動側板１２の両側縁に形成してあるフランジ片１３の内面に形成してある第２面状ファスナーの取り付け位置に対応する位置である。第１面状ファスナーと第２面状ファスナーとは、着脱自在に貼着可能である。
【００２８】
なお、本発明は、上述した実施形態に限定されるものではなく、本発明の範囲内で種々に改変することができる。
たとえば、本発明の薄板搬送用コンテナに収容される薄板としては、ＰＤＰ用ガラスパネルに限定されない。
【００２９】
【発明の効果】
以上説明してきたように、本発明によれば、薄板状電子部品の収納および取り出し作業性に優れたコンテナを提供することができる。
【図面の簡単な説明】
【図１】  図１は本発明の一実施形態に係る薄板搬送用コンテナの一部分解斜視図である。
【図２】  図２は図１のII−II線に沿う要部断面図である。
【図３】  図３は図１のIII−III線に沿う要部断面図である。
【符号の説明】
２…  薄板搬送用コンテナ
４…  パレット（搬送台）
６，８…  固定側板
１０…  側壁開口部
１２…  移動側板
１４…  底板
１６…  底板緩衝材
１８，２０…  側面緩衝材
２２…  薄板端部保持溝
２４…  枠
２６…  スチール製補強枠板
３０…  樹脂製枠
４０…  面状ファスナー
５０…  ＰＤＰ用ガラスパネル
【図１】
0004284895.tif 000002
【図２】
0004284895.tif 000003
【図３】
0004284895.tif 000004